(57)【要約】【課題】  携帯電子機器において、押下ボタンを押下するときの押下のタイミングのずれや、押下ミスを防止する。【解決手段】  移動側実装部材６は、固定側実装部材４に対してスライドユニットを介して矢印Ａ−Ｂ方向に移動自在に支持され、固定側実装部材４の背面側を開閉する。トーションばね１０は、移動側実装部材６と固定側実装部材４との間に介装され移動側実装部材６による開閉動作を補助する。固定側実装部材４の背面側を閉じた状態で、トーションばね１０によって移動側実装部材６に作用する付勢力の向きが、シャッターボタン３の押下方向と反対方向となっている。【選択図】  図２
2010245979.tif 000002
【特許請求の範囲】
【請求項１】
押下ボタンが設けられた固定側実装部材と、この固定側実装部材に対して直線的に移動自在に支持され前記固定側実装部材を開閉する移動側実装部材と、これら移動側実装部材と固定側実装部材との間に介装され移動側実装部材による開閉動作を補助するトーションばねとを備え、前記移動側実装部材によって閉じた状態で、前記トーションばねによって前記移動側実装部材に作用する付勢力の向きに対して、前記押下ボタンを押す方向が反対方向となるように当該押下ボタンを配置したことを特徴とする携帯電子機器。
【請求項２】
前記固定側実装部材が固定される固定部材と、この固定部材に移動自在に支持され前記移動側実装部材が固定される可動部材とを備え、前記トーションばねの一端が前記固定部材に固定され、他端が前記移動部材に固定されていることを特徴とする請求項１記載の携帯電子機器。
【請求項３】
前記固定側実装部材にカメラが実装され、前記移動側実装部材に前記カメラからの情報を表示する表示部が設けられ、前記押下ボタンが前記固定側実装部材の一側面に設けられたシャッターボタンであることを特徴とする請求項１または２記載の携帯電子機器。
【発明の詳細な説明】
【技術分野】
【０００１】
本発明は、移動側実装部材が固定側実装部材に対してスライドして開閉する携帯電子機器に関するものである。
【背景技術】
【０００２】
この種の携帯電子機器としては、表面にキーパッドが装着されたメインボディーと、このメインボディーにスライド自在でスライドすることによりメインボディーのキーパッドを開閉するサブボディーと、前記メインボディーが固定されたメインプレートと、このメインプレートにスライド自在に支持され前記サブボディーが固定されたスライドプレートと、このスライドプレートに一端が枢着された回動アームと、この回動アームの他端に一端が枢着され、他端が前記メインプレートに枢着されたトーションばねとを備え、トーションばねは、スライドプレートの移動経路のうち、一定の地点を基準として、スライドプレートのキーパッドが閉鎖される位置にあるときにはスライドプレートを閉鎖方向へ付勢し、スライドプレートのキーパッドが開放される位置にあるときにはスライドプレートを開放する方向へ付勢するものがある（例えば、特許文献１参照）。
【先行技術文献】
【特許文献】
【０００３】
【特許文献１】特表２００７−５０３７５２号公報（段落〔００６９〕〜〔００７８〕、図１ないし７）
【発明の概要】
【発明が解決しようとする課題】
【０００４】
上述したような携帯電子機器において、シャッターボタン等の押下ボタンを備えたものについては、スライドプレートの移動方向と直交する方向がシャッターボタンの押下方向である場合は、押下釦の押下時にサブボディーがメインボディーに対してわずかではあるが移動することにより、押下ボタンによる押下のタイミングがずれてしまうことがある。これを、図３を用いて説明する。１０１はメインボディー１０４とサブボディー１０６とを備えた電子機器であって、サブボディー１０４の上面１０４ａにはシャッターボタン１０３が設けられている。サブボディー１０６はメインボディー１０４に、固定部材１０８と可動部材１０９とからなるスライドユニットによって矢印Ａ−Ｂ方向に移動自在に支持されており、メインボディー１０４の背面部はサブボディー１０６によって開閉される。
【０００５】
固定部材１０８と可動部材１０９との間には、トーションばね１１０が介装されており、このトーションばね１１０は、サブボディー１０６の移動経路のうち、一定の地点を基準として、サブボディー１０６によってメインボディー１０４の背面側が閉鎖される位置にあるときには、サブボディー１０６を閉鎖方向へ付勢し、サブボディー１０６によってメインボディー１０４の背面側が開放される位置にあるときには、サブボディー１０６を開放する方向へ付勢している。ここで、トーションばね１１０は、サブボディー１０６によってメインボディー１０４の背面側を閉鎖した状態で、図３（Ｂ）に示すように、可動部材に枢着された一方の腕部１１０ａを介して、サブボディー１０６を図中時計方向（矢印Ｇ方向）へ付勢している。したがって、サブボディー１０６は、このトーションばね１１０によって図中下方（矢印Ｄ方向）、すなわち、シャッターボタン１０３の押下方向と同じ方向に付勢されている。
【０００６】
この状態で、手１１１の親指１１２によってメインボディー１０４とサブボディー１０６との下面１０４ｂ，１０６ｂ（同図（Ｃ）中、二点鎖線で囲んだ領域Ｓ′）を支承し、人差し指１１３によってシャッターボタン１０３を押下しようとすると、サブボディー１０６の上面１０６ａは人差し指１１３によって当てられていない。上述したように、サブボディー１０６はトーションばね１１０のねじりモーメントによって下方に付勢されている。
【０００７】
また、スライドユニットの固定部材１０８と可動部材１０９との間には、可動部材１０９が円滑に移動できるようにクリアランスが設けられている。このため、人差し指１１３によってシャッターボタン１０３を押下するときに、親指１１２によってサブボディー１０６を必要以上に上方に押圧すると、トーションばね１１０のねじりモーメントに抗するようにクリアランス分だけサブボディー１０６がわずかではあるが持ち上げられることになる。サブボディー１０６が持ち上げられて動くことにより、人差し指１１３によるシャッターボタン１０３の押下動作のタイミングがずれるため、シャッタチャンスを逸失してしまったり、サブボディー１０６が動くことにより、押下ミスが発生したりすることがある。
【０００８】
本発明は上記した従来の問題に鑑みなされたものであり、その目的とするところは、押下ボタンを押下するときの押下のタイミングのずれや、押下ミスを防止した携帯電子機器を提供するところにある。
【課題を解決するための手段】
【０００９】
この目的を達成するために、本発明は、押下ボタンが設けられた固定側実装部材と、この固定側実装部材に対して直線的に移動自在に支持され前記固定側実装部材を開閉する移動側実装部材と、これら移動側実装部材と固定側実装部材との間に介装され移動側実装部材による開閉動作を補助するトーションばねとを備え、前記移動側実装部材によって閉じた状態で、前記トーションばねによって前記移動側実装部材に作用する付勢力の向きに対して、前記押下ボタンを押す方向が反対方向となるように当該押下ボタンを配置したものである。
【発明の効果】
【００１０】
本発明によれば、仮に、押下ボタンを押すときに、押下ボタンが設けられていない移動側実装部材を押下ボタン側に移動させようとしても、既にトーションばねの付勢力によって移動側実装部材が押下ボタン側に移動しているため、移動するようなことがない。このため、移動側実装部材が動くことによる押下ボタンの押下タイミングがずれるようなことないから押下タイミングを逸失するようなことがないとともに、押下ミスも防止することができる。
【図面の簡単な説明】
【００１１】
【図１】本発明に係る携帯電子機器の分解斜視図である。
【図２】本発明に係る携帯電子機器の操作を説明するための図であって、同図（Ａ）は平面図、同図（Ｂ）は背面図、同図（Ｃ）は底面図である。
【図３】従来の携帯電子機器の操作を説明するための図であって、同図（Ａ）は平面図、同図（Ｂ）は背面図、同図（Ｃ）は底面図である。
【発明を実施するための形態】
【００１２】
以下、本発明の実施の形態を図１および２に基づいて説明する。
【００１３】
図１に全体を符号１で示す携帯電子機器は、カメラ２が内蔵され上面４ａに押下ボタンとしてのシャッターボタン３が設けられた固定側実装部材４と、カメラ２からの情報を表示する表示部５（図２（Ｂ）参照）が背面側に設けられた移動側実装部材６と、これら固定側実装部材４と移動側実装部材６との間に介装され、固定側実装部材４に対して移動側実装部材６を矢印Ａ−Ｂ方向に移動自在に支持するスライドユニット７とによって概ね構成されている。
【００１４】
スライドユニット７は、正面視コ字状に形成された固定部材８と、この固定部材８に矢印Ａ−Ｂ方向に移動自在に支持された可動部材９とによって構成されている。固定部材８の上端部には、矢印Ａ−Ｂ方向全体にわたって下方に向かって突設された凸部８ａが設けられており、固定部材８の下端部には、矢印Ａ−Ｂ方向全体にわたって上方に向かって突設された凸部８ａが設けられている。一方、可動部材９の上端部および下端部には、矢印Ａ−Ｂ方向全体にわたってガイド溝９ａ，９ａが設けられている。このように構成されていることにより、固定部材８の凸部８ａ，８ａを可動部材９のガイド溝９ａ，９ａに嵌合させることにより、凸部８ａとガイド溝９ａとの間にわずかなクリアランスが設けられて、可動部材９は固定部材８に対して上下方向（矢印Ｃ−Ｄ方向）と厚み方向（矢印Ｅ−Ｆ方向）との移動を規制された状態で、可動部材９が矢印Ａ−Ｂ方向に移動自在に支持される。
【００１５】
固定部材８には固定側実装部材４がねじ（図示を省略）によって固定されており、可動部材９には移動側実装部材６がねじ（図示を省略）によって固定されている。したがって、スライドユニット７を介して移動側実装部材６を矢印Ａ−Ｂ方向に移動させることにより、固定側実装部材４の背面側が開閉される。
【００１６】
１０は両端に一対の腕部１０ａ，１０ｂが突設されたトーションばねであって、一方の腕部１０ａの先端部は可動部材９に突設された突起９ｂに枢着されており、他方の腕部１０ｂの先端部は固定部材８に突設された突起８ｂ（図２（Ｂ）参照）に枢着されている。このように構成されていることにより、このトーションばね１０は、移動側実装部材６の矢印Ａ−Ｂ方向への移動経路中、所定の位置を境として、固定側実装部材４の背面側を開放している位置に位置しているときには移動側実装部材６を開放方向へ付勢し、固定側実装部材４の背面側を閉鎖している位置に位置しているときには移動側実装部材６を閉鎖方向へ付勢するように機能する。
【００１７】
また、このトーションばね１０は、移動側実装部材６によって固定側実装部材４の背面側を閉鎖した状態で、図２（Ｂ）に示すように、可動部材９の突起９ｂに枢着された一方の腕部１０ａを介して、移動側実装部材６を反時計方向（矢印Ｆ方向）に付勢している。したがって、移動側実装部材６は、図中上方（矢印Ｃ方向）、すなわちシャッターボタン３が押下される方向と反対方向に付勢されており、固定部材８の凸部８ａと可動部材９のガイド溝９ａとの間に設けられたクリアランス分だけ上方に持ち上げられている。
【００１８】
次に、図２を用いて、このように構成された携帯電子機器において、シャッターボタンを押下する動作について説明する。シャッターボタン３を押下操作する場合は、同図（Ｂ）に示すように手１１の親指１２を固定側実装部材４の下面４ｂと移動側実装部材６の下面６ｂに当て、人差し指１３をシャッターボタン３に当てるようにして、親指１２と人差し指１３とで固定側実装部材４と移動側実装部材６の上下面を挟持する。
【００１９】
このとき、人差し指１３は、同図（Ａ）に示すようにシャッターボタン３だけに当てられるため、移動側実装部材６の上面６ａには当てられていない。一方、親指１２は、同図（Ｃ）に示すように固定側実装部材４と移動側実装部材６との両方にまたがる領域Ｓに当てられる。すなわち、固定側実装部材４と移動側実装部材６の下面４ｂ，６ｂは親指１２によって当てられているが、移動側実装部材６の上面６ａには人差し指１３が当てられていない。
【００２０】
この状態で、人差し指１３によってシャッターボタン３を下方に押下しようとするとき、親指１２によって固定側実装部材４と移動側実装部材６の下面４ｂ，６ｂが支承される。このとき、仮に、親指１２によって移動側実装部材６の６ｂが必要以上の力で持ち上げられたとしても、移動側実装部材６がトーションばね１０によって図中上方（矢印Ｃ方向）、すなわち、シャッターボタン３側に付勢されている。すなわち、移動側実装部材６は、既に固定部材８の凸部８ａと可動部材９のガイド溝９ａとの間に設けられたクリアランス分だけ上方に持ち上げられているから、移動側実装部材６が上方に移動するようなことがない。このため、シャッターボタン３の押下動作のときに、移動側実装部材６の微移動によってシャッタチャンスを逸失するようなことがないとともに、シャッタミスを防止することもできる。
【００２１】
なお、本実施例においては、一本のトーションばねによって移動側実装部材の開閉を補助するようにしたが、二本のトーションばねによって行うようにしてもよい。
【符号の説明】
【００２２】
１…携帯電子機器、２…カメラ、３…シャッターボタン（押下ボタン）、４…固定側実装部材、４ａ…上端面、４ｂ…下端面、６…移動側実装部材、６ａ…上端面、６ｂ…下端面、７…スライドユニット、８…固定部材、８ａ…凸部、９…可動部材、９ａ…ガイド溝、１０…トーションばね、１０ａ，１０ｂ…腕部。
【図１】
2010245979.tif 000003
【図２】
2010245979.tif 000004
【図３】
2010245979.tif 000005